(57)【要約】【課題】ナット内に組み付けられたベアリング等の部品とねじ軸との干渉を簡単な構成により防止することのできるボールねじを提供する。【解決手段】ナット１２の移動ストロークを規制する係止部２０をねじ軸１１の端部に設けるとともに、係止部２０に係合する被係止部１９をナット１２に設ける。【選択図】　図５
2004116561.tif 000002
【特許請求の範囲】
【請求項１】
外周面にボールねじ溝を有するねじ軸と、前記ボールねじ溝に対向するボールねじ溝を内周面に有するナットと、前記ねじ軸及びナットの前記ボールねじ溝間に配設された多数のボールと、これらのボールを循環させるボール循環部材とを備えたボールねじにおいて、
ボールねじのストロークを規制するストッパを構成する係止部を前記ねじ軸に設けるとともに、該係止部に係合する被係止部を前記ナットに設けたことを特徴とするボールねじ。
【請求項２】
外周面にボールねじ溝を有するねじ軸と、前記ボールねじ溝に対向するボールねじ溝を内周面に有するナットと、前記ねじ軸及びナットの前記ボールねじ溝間に配設された多数のボールと、これらのボールを前記ナットの内部で循環させるボール循環部材とを備えたボールねじにおいて、
前記ナットの端面に該ナットの軸方向に突出するストッパ部を設けるとともに、前記ねじ軸の外周面に前記ストッパ部に係合してボールねじのストロークを規制するストローク規制部を設けたことを特徴とするボールねじ。
【請求項３】
外周面にボールねじ溝を有するねじ軸と、前記ボールねじ溝に対向するボールねじ溝を内周面に有するナットと、前記ねじ軸及びナットの前記ボールねじ溝間に配設された多数のボールと、これらのボールを前記ナットの内部で循環させるボール循環部材とを備えたボールねじにおいて、
前記ねじ軸内を軸方向に貫通するシャフトを支持するベアリング用の保持孔を前記ナットに設け、かつ前記ナットの端面に該ナットの軸方向に突出するストッパ部を設けるとともに、前記ねじ軸の外周面に前記ストッパ部に係合してボールねじのストロークを規制するストローク規制部を設けたことを特徴とするボールねじ。
【発明の詳細な説明】
【０００１】
【発明の属する技術分野】
本発明は、例えば自動車用トランスミッションなどに使用されるボールねじに関する。
【０００２】
【従来の技術】
自動車用トランスミッションなどでは、回転運動を直線運動に変換して可動部品に伝える装置として、例えば、図５に示すような内部循環式ボールねじが使用されている。この内部循環式ボールねじは、ねじ軸１と、このねじ軸１の外周面に形成されたボールねじ溝３と対向するボールねじ溝４を内周面に有するナット２と、これらねじ軸１及びナット２のボールねじ溝３，４間に配設された多数のボール５と、これらのボール５をナット２の内部で循環させるボール循環コマ６とを備えている。
【０００３】
ねじ軸１は内部が中空に形成されており、このねじ軸１の中空部には、ナット２の図中左側に配置された不図示の回転駆動機構に動力を伝えるためのシャフトＳが挿通されるようになっている。一方、ナット２は不図示の駆動ギヤと噛み合う従動ギヤ７を外周面に有しており、この従動ギヤ７を介してナット２に回転トルクが伝わると、ナット２が回転し、軸方向に移動すると共にボール５がボールねじ溝３，４間を繰り返し転動するようになっている。
【０００４】
【発明が解決しようとする課題】
このような内部循環式ボールねじは、シャフトＳをねじ軸１の中空部を通して回転駆動機構に接続できるという利点を有しているが、シャフトＳを支持するベアリングＢの設置スペースを回転駆動機構とナット２との間に確保しなければならないため、装置全体の軸方向長さが大きくなるという問題がある。
【０００５】
そこで、装置全体の軸方向長さを小さくするために、ベアリングＢを保持するためのベアリング保持孔をナットに設けることが検討されている。しかしながら、ナットにベアリング保持孔を設けると、ナットを図中右方に移動させた際にベアリング保持孔に保持されたベアリングがねじ軸と干渉して破損するおそれがある。
【０００６】
本発明は、このような問題点に着目してなされたものであり、ボールねじのストロークを規制してベアリング等の破損を防止することのできるボールねじを提供することを目的とする。
【０００７】
【課題を解決するための手段】
上記の目的を達成するために、請求項１の発明は、外周面にボールねじ溝を有するねじ軸と、前記ボールねじ溝に対向するボールねじ溝を内周面に有するナットと、前記ねじ軸及びナットの前記ボールねじ溝間に配設された多数のボールと、これらのボールを循環させるボール循環部材とを備えたボールねじにおいて、ボールねじのストロークを規制するストッパを構成する係止部を前記ねじ軸に設けるとともに、該係止部に係合する被係止部を前記ナットに設けたことを特徴とする。
【０００８】
請求項２の発明は、外周面にボールねじ溝を有するねじ軸と、前記ボールねじ溝に対向するボールねじ溝を内周面に有するナットと、前記ねじ軸及びナットの前記ボールねじ溝間に配設された多数のボールと、これらのボールを前記ナットの内部で循環させるボール循環部材とを備えたボールねじにおいて、前記ナットの端面に該ナットの軸方向に突出するストッパ部を設けるとともに、前記ねじ軸の外周面に前記ストッパ部に係合してボールねじのストロークを規制するストローク規制部を設けたことを特徴とする。
【０００９】
請求項３の発明は、外周面にボールねじ溝を有するねじ軸と、前記ボールねじ溝に対向するボールねじ溝を内周面に有するナットと、前記ねじ軸及びナットの前記ボールねじ溝間に配設された多数のボールと、これらのボールを前記ナットの内部で循環させるボール循環部材とを備えたボールねじにおいて、前記ねじ軸内を軸方向に貫通するシャフトを支持するベアリング用の保持孔を前記ナットに設け、かつ前記ナットの端面に該ナットの軸方向に突出するストッパ部を設けるとともに、前記ねじ軸の外周面に前記ストッパ部に係合してボールねじのストロークを規制するストローク規制部を設けたことを特徴とする。
【００１０】
【発明の実施の形態】
以下、図面を参照して本発明の実施の形態について説明する。
図１乃至図４は本発明の一実施形態を示す図であり、図１に示されるように、本発明の一実施形態に係るボールねじは、ねじ軸１１と、このねじ軸１１の外周面に形成されたボールねじ溝１３と対向するボールねじ溝１４を内周面に有するナット１２と、これらねじ軸１１及びナット１２のボールねじ溝１３，１４間に配設された多数のボール１５と、これらのボール１５をナット１２の内部で循環させるボール循環部材としてのボール循環コマ１６とを備えている。
【００１１】
ねじ軸１１は内部が中空に形成されており、このねじ軸１１の中空部には、ナット１２の図中左側に配置された回転駆動機構（図示せず）に動力を伝えるためのシャフトＳが挿通されるようになっている。一方、ナット１２は不図示の駆動ギヤと噛み合う従動ギヤ１７を外周面に有しており、この従動ギヤ１７を介してナット１２に回転トルクが伝わると、ナット１２が回転し、軸方向に移動すると共にボール１５がボールねじ溝１３，１４間を繰り返し転動するようになっている。
【００１２】
シャフトＳは中空のねじ軸１１内を軸方向に貫通しており、このシャフトＳを支持するベアリングＢは、図１に示すように、ナット１２に形成されたベアリング保持孔１８に保持されている。
ナット１２は従動ギヤ１７が所定方向に回転すると図１の状態から図中右方へ移動するようになっており、ねじ軸１１の図中右側端部には、ナット１２の移動ストロークを規制するストローク規制部としての係止部２０（図３参照）が設けられている。この係止部２０はねじ軸１１の外径方向に突出しており、ナット１２の図中右側端部には、係止部２０に係合するストッパ部としての被係止部１９（図２参照）が設けられている。
【００１３】
図４はナット１２を図中右方へ移動させたときの状態を示す図であり、同図に示されるように、ナット１２を図１の状態から図中右方へ移動させると、ナット１２に設けられた被係止部１９がねじ軸１１に設けられた係止部２０に係合する。これにより、ナット１２の回転が停止すると共に図中右方への移動が規制されるため、ナット１２のベアリング保持孔１８に保持されたベアリングＢがねじ軸１１と干渉することを防止できる。
【００１４】
したがって、上述した実施形態では、ナット１２のベアリング保持孔１８に保持されたベアリングＢがねじ軸１１と干渉し合うことがないので、ベアリングＢの破損を防止することができ、装置の信頼性を高めることができる。
また、上述した実施形態のように、ベアリングを保持するためのベアリング保持孔１８をナット１２に設けると、ナット１２の図中左側にベアリングの設置スペースを確保しなくてもよいので、装置全体の軸方向長さを短くすることができる。
【００１５】
なお、本発明は上述した実施の形態に限定されるものではない。たとえば、上述した実施形態ではナット１２とボール循環コマ１６とを別部品としたが、ナット１２とボール循環コマ１６とを一体化してもよい。また、上述した実施形態ではナットのストロークを規制する場合を例示したが、ねじ軸が軸方向に移動する場合でも同様の構成によりねじ軸のストロークを規制することができる。さらに、上述した実施形態では本発明を内部循環式ボールねじに適用した場合を例示したが、外部循環式ボールねじ、例えばチューブ式、エンドキャップ式等のボールねじについても適用可能であることは勿論である。
【００１６】
【発明の効果】
以上説明したように、請求項１及び２の発明によれば、ボールねじのストロークを規制してベアリング等の破損を防止することができる。
請求項３の発明によれば、装置全体の軸方向長さを短小化できると共に、ベアリング等の破損を防止することができる。
【図面の簡単な説明】
【図１】本発明の一実施形態に係る内部循環式ボールねじの軸方向に沿う断面図である。
【図２】本発明の一実施形態に係る内部循環式ボールねじのナットを示す図で、（ａ）は一部断面側面図、（ｂ）は（ａ）のＡ−Ａ線に沿う断面図である。
【図３】本発明の一実施形態に係る内部循環式ボールねじのねじ軸を示す図で、（ａ）は一部断面側面図、（ｂ）は（ａ）の矢印Ｂに沿う矢視図である。
【図４】本発明の一実施形態に係る内部循環式ボールねじの作用を説明するための図で、（ａ）は内部循環式ボールねじの軸方向に沿う断面図、（ｂ）は（ａ）のＣ−Ｃ線に沿う断面図である。
【図５】従来の内部循環式ボールねじを示す図である。
【符号の説明】
１１　　ねじ軸
１２　　ナット
１３　　ボールねじ溝
１４　　ボールねじ溝
１５　　ボール
１６　　ボール循環コマ
１７　　従動ギヤ
１８　　ベアリング保持孔
１９　　被係止部（ストッパ部）
２０　　係止部（ストローク規制部）
Ｓ　　　シャフト
Ｂ　　　ベアリング
【図１】
2004116561.tif 000003
【図２】
2004116561.tif 000004
【図３】
2004116561.tif 000005
【図４】
2004116561.tif 000006
【図５】
2004116561.tif 000007